Podtech/llm-jp-corpus-v4-ja_patent huggingface dataset:
(57)【要約】【課題】電子装置で稼動時保守を行うときに、抜き出した電子ユニットの挿入開口部から冷却風が漏れ出すのを防止する構造を提供する。【解決手段】電子ユニット１の間に支柱３を取り付け、支柱３には風漏れ防止板４と風漏れ防止板４を中心に左右の電子ユニット２の両方に反発するようになっているスプリング５が取り付けられている。風漏れ防止板４は左右どちらの方向にも回転することができ、かつ電子ユニット１の挿入開口部１１を塞ぐ位置で止まりそれ以上は回転しないようになっている。これにより一つの電子ユニットを抜き出すと、反対側のスプリング５の反発力で風漏れ防止板４が押し出され挿入開口部１１からの風漏れを遮断する。【選択図】  図１
2005191348.tif 000002
【特許請求の範囲】
【請求項１】
複数の電子ユニットを架前面の開口部から挿入して並べて架に収納し、前記電子ユニットを冷却するための冷却風を電子ユニット内に流し、前記電子ユニットの稼動時保守が可能な電子装置において、各電子ユニットの間に両隣の電子ユニットいずれの方向にも回転可能な回転軸で支持された風漏れ防止板を備え、該風漏れ防止板には両隣の電子ユニット各々に反発するスプリングが取り付けられ、抜き取られた電子ユニットの開口部側に前記風漏れ防止板が回転移動して開口部を塞ぐことを特徴とする風漏れ防止構造。
【請求項２】
前記風漏れ防止板を中心とした両隣の電子ユニットの内から一方の電子ユニットを抜き取ると、前記風漏れ防止板が他方の電子ユニット側のスプリングで付勢されて抜き取られた電子ユニットの開口部側へ回転移動し、前記冷却風の風圧が前記風漏れ防止板を開口部まで押し出すことを特徴とする請求項１記載の風漏れ防止構造。
【請求項３】
前記風漏れ防止板が回転移動して開口部を塞ぐ位置に至ったときにその回転を阻止するストッパを有することを特徴とする請求項２記載の風漏れ防止構造。
【請求項４】
前記風漏れ防止板を複数の電子ユニットの間に一つおきに配置することを特徴とする請求項１記載の風漏れ防止構造。
【請求項５】
請求項１乃至４の風漏れ防止構造を具備した電子装置。
【請求項６】
複数の電子ユニットを架に収納し前記電子ユニットを冷却風で冷却する電子装置において、前記架は前記電子ユニットを挿入するための複数の開口部と、該開口部を塞ぐための風漏れ防止板を左右に回転自在に取り付けた支柱を備え、前記風漏れ防止板には左右の電子ユニットの両方に反発するスプリングが取り付けられ、前記風漏れ防止板が回転移動して開口部を塞ぐ位置に至ったときにその回転を阻止するストッパを有することを特徴とする電子装置。
【発明の詳細な説明】
【技術分野】
【０００１】
本発明は、複数の電子ユニットが稼動している電子装置において稼動時保守を行うときに、抜き出した電子ユニットの挿入開口部から冷却風が漏れ出すのを防止する構造に関する。
【背景技術】
【０００２】
近年、情報機器の電子部品は発熱量の増加や高密度実装化により、電子部品の冷却性能はより高効率化と信頼性が求められている。一方で、情報処理社会のインフラはノーダウンが一般的となり、情報機器も冗長機能や稼動時保守が一般的となっている。稼動時保守を行う場合、抜き出した電子ユニットの挿入開口部から冷却風が漏れ出すことで、他の稼動中の電子ユニットが冷却風不足に陥り、異常発熱や電子装置の停止を招く結果となる。これに対し、従来の技術は漏れ出ても十分な冷却風を送り出す能力を持つ送風装置を搭載したり、特許文献１に記載のように通風口にシャッターを設けて冷却風そのものを遮断する構造や、特許文献２に記載のようにユニット毎に風漏れ防止板を設けて間口部を塞ぐ構造が一般的であった。
【０００３】
【特許文献１】特開平５−２９９８６１号公報
【０００４】
【特許文献２】特開２００２−１７６２８１号公報
【発明の開示】
【発明が解決しようとする課題】
【０００５】
上記従来技術では、稼動時保守時に冷却風が漏れ出しても他の稼動中の電子ユニットが必要とする風量を送風できる通常稼動では必要以上の大形で高価な送風装置を搭載するか、各電子ユニット毎に風漏れ防止板を取り付けていたため、収納容積の増大やコスト増加の要因となっていた。
【課題を解決するための手段】
【０００６】
上記課題を解決するために、本発明は各電子ユニットの間に、両隣の電子ユニットいずれの方向にも回転可能な回転軸で支持された風漏れ防止板を取り付け、該風漏れ防止板に両隣の電子ユニット各々に反発するスプリングを取り付けることにより、取り出した電子ユニット側に風漏れ防止板が飛び出して電子ユニットを抜き取った開口部を塞ぐ。
【発明の効果】
【０００７】
本発明によれば、一つの風漏れ防止板で両隣の電子ユニットどちらの風漏れかを自動的に判別、防止することができることができるため、収納容積の縮小化とコスト低減を図ることができる。
【発明を実施するための最良の形態】
【０００８】
以下、図面を参照して本発明の一実施例を説明する。
【０００９】
図１は本発明による電子ユニット収納筐体の風漏れ防止構造の概略を示す斜視図であり、コンピュータ等電子機器の筐体の一部に形成される架１と電子ユニット２が示されている。
【００１０】
図２、図３は風漏れ防止機構の要部を示す図で、図２は架１を上部から見た図、図３は風漏れ防止板の詳細斜視図である。架１は電子ユニット２を複数枚並列して通電状態で収納するもので、電子ユニット１は架１前面の挿入開口部１１から架１に設けられたガイドレール(本図では図示せず)に沿って挿し込まれる。そして、電子ユニット１の間には一つ置きに支柱３が取り付けられ、支柱３には風漏れ防止板４と該風漏れ防止板４の回転中心軸棒３１を支え、かつ風漏れ防止板４の回転を左右各々９０度の位置で止めるストッパー３３を備えた支持金具３２を取り付ける。これにより、風漏れ防止板４は回転中心軸棒３１を中心に左右どちらの方向にも回転することができ、かつストッパー３３によって電子ユニット１の挿入開口部１１を塞ぐ位置で止まりそれ以上は回転しないようになっている。さらに、風漏れ防止板４にはスプリング５が取り付けられており、スプリング５は風漏れ防止板４を中心に左右の電子ユニット２の両方に反発するようになっている。これにより一つの電子ユニットを抜き出すと、反対側のスプリング５の反発力で風漏れ防止板４が押し出される。すなわち両隣どちらの電子ユニットが抜き出されたかを自動的に判別し、自動的に風漏れ防止板４が塞ぐべき方向に移動するようになっている。また、風漏れ防止板４は、少しでも挿入開口部１１側へ回転移動すると、電子ユニット２を冷却する冷却風１２の風圧によって瞬時に挿入開口部１１側に押し出され、さらに電子ユニット２を挿入するまでは挿入開口部１１を遮蔽する位置にとどまり、風漏れを遮断するようになっている。
【図面の簡単な説明】
【００１１】
【図１】本発明の一実施例を示す斜視図である。
【図２】図１の要部を示す図で図１を上部から見た図である。
【図３】風漏れ防止板の拡大図である。
【符号の説明】
【００１２】
１  架
１１  挿入開口部
１２  冷却風
２  電子ユニット
３  支柱
３１  回転中心軸棒
３２  支持金具
３３  ストッパー
４  風漏れ防止板
５  スプリング
【図１】
2005191348.tif 000003
【図２】
2005191348.tif 000004
【図３】
2005191348.tif 000005
(57)【要約】【課題】ＣＭＯＳロジック回路が正常に動作しなくなり、ＰＳ解除の制御信号を外部から入力しても受け付けなくなるという問題を解決する。【解決手段】ＰＳ時、ＰＭＯＳ＿ＴｒＱ２０３のゲートが不定とならない様にＨｉ(ＶＣＣ)を供給しＣＭＯＳロジック回路１にＶＣＣがかかる様に構成しているため、ＰＳ時にＣＭＯＳロジック回路１が、不安定動作になる事がなく、ＰＳ解除時は、ＰＭＯＳ＿ＴｒＱ２０３のゲート電圧、シフト回路出力に繋がる発明回路はＨｉ＿Ｚになり、正常にＶｓｈｉｆｔ電圧がＣＭＯＳロジック回路１に供給される。【選択図】図１
2005191627.tif 000002
【特許請求の範囲】
【請求項１】
デジアナ混在の集積回路においてディジタルノイズがアナログ回路に回り込み問題となるシステムで、発生するディジタルノイズのエネルギーを低減するために使用電源から電圧ドロップさせる電圧シフト回路を有し、その回路がＯＦＦ時に供給電圧が不定電圧にならない様に電圧を固定させる回路を備えた事を特徴とする電圧シフト回路。
【発明の詳細な説明】
【技術分野】
【０００１】
本発明は、デジアナ混在の集積回路においてディジタルノイズがアナログ信号処理回路に回り込み性能を劣化させる事が問題となるシステムに関するものである。
【背景技術】
【０００２】
図３に従来の電圧シフト回路の構成を示す。図３の回路構成によるパワーセイブ(以下、ＰＳと略)前後のロジック信号出力タイミングチャートを図４に示す。図中１０１は、ＣＭＯＳロジック制御用Ｄａｔａ入力端子を示し１０２は、Ｃｌｏｃｋ入力端子、１０３は、Ｓｔｒｏｂｅ信号入力端子であり、外部より供給される。２は、シフト電圧を作り出す回路ブロックである。
【０００３】
シフト電圧２０１をＯＰアンプ２０２の正相入力に供給し、ＰＭＯＳ ＴｒＱ２０３でソースフォロワ駆動回路を構成し、次段ＣＭＯＳロジック回路１に供給される。ＰＭＯＳ＿ＴｒＱ２０３のソースとＧＮＤ間に抵抗２０４、２０５を直列に配置し、中点からＯＰアンプ２０２の逆相に返す事で電圧フォロワー回路を形成している。このシフト回路ブロック２をＯＮ／ＯＦＦするＳＷ３は、外部入力信号Ｄａｔａ，Ｃｌｏｃｋ，Ｓｔｒｏｂｅ信号が、ＣＭＯＳロジック回路１に供給され図４に示すタイミングでＰＳ制御される。
【発明の開示】
【発明が解決しようとする課題】
【０００４】
しかしながら、上記の電圧シフト回路では、ＰＳ時即ちＳＷ３がＬｏになると、ＯＰアンプ２０２の出力が不定電圧になる。従って、ソースフォロワのＰＭＯＳ＿ＴｒＱ２０３のゲート電圧が不定となり、電圧シフト回路２から不定電圧が出力される。その結果、ＣＭＯＳロジック回路１が正常に動作しなくなる。従って、ＰＳ解除の制御信号を外部から入力しても受け付けなくなると言った問題が発生する。
【課題を解決するための手段】
【０００５】
上記の課題を解決するために本発明のシフト回路ＯＦＦ時出力固定電圧はＰＳ時、ＰＭＯＳ＿ＴｒＱ２０３のゲートが不定とならない様にＨｉ(ＶＣＣ)を供給しＣＭＯＳロジック回路１にＶＣＣがかかる様に構成しているため、ＰＳ時にＣＭＯＳロジック回路１が、不安定動作になる事がない。一方、ＰＳ解除時は、ＰＭＯＳ＿ＴｒＱ２０３のゲート電圧、シフト回路出力に繋がる発明回路はＨｉ＿Ｚになり、正常にＶｓｈｉｆｔ電圧がＣＭＯＳロジック回路１に供給される。
【発明の効果】
【０００６】
以上のように本発明によれば、電圧シフト回路のＰＳ時に出力電圧が不定となり、駆動ＣＭＯＳロジックが不安定動作になる事を防ぐ事が出来る。
【発明を実施するための最良の形態】
【０００７】
図１に本発明の構成を示す。図１に示す回路構成の動作タイミングチャートを図２に示す。図１において、図３と同じ構成要素については同じ符号を用い、説明を省略する。図１のＴｒＱ４、Ｑ５は、ＰＳ時電圧シフト回路２の出力電圧をＨｉ(ＶＣＣ)に固定するためのＰＭＯＳ＿Ｔｒである。対をなす２つのＭＯＳ＿ＴｒＱ４及びＱ５のゲートを繋ぎ、ＰＳ制御信号を供給する。ＭＯＳ＿ＴｒＱ４、ＭＯＳ＿ＴｒＱ５のドレインは、夫々ＶＣＣに繋ぎ、ＭＯＳ＿ＴｒＱ４のソースは、シフト回路出力駆動ＭＯＳ＿ＴｒＱ２０３のゲートに繋ぐ。一方、ＭＯＳ＿ＴｒＱ５のソースは、シフト回路出力に繋ぐ。こうした回路構成にする事で、ＰＳ時Ｑ４、Ｑ５のゲート電圧がＬｏになり、両ＴｒがＯＮしＱ２０３のゲートにＨｉ(ＶＣＣ)を供給し、シフト回路出力をＶＣＣにつり上げる。これにより、ＰＳ時の不安定動作を解決する。ＰＳ解除時は、ＰＳ制御信号がＨｉ(ＶＣＣ)に上がる事でＭＯＳ＿ＴｒＱ４、Ｑ５がＯＦＦするので、各々のドレインがＨｉ＿Ｚとなる。従って、正常なシフト電圧が供給される。
【産業上の利用可能性】
【０００８】
以上のように本発明によれば、電圧シフト回路のＰＳ時に出力電圧が不定となり、駆動ＣＭＯＳロジックが不安定動作になる事を防ぐ事が出来る。
【図面の簡単な説明】
【０００９】
【図１】本発明の実施の形態の電圧シフト回路の構成を示す図
【図２】図１のパワーセーブＯＮ／ＯＦＦの動作を示すタイミングチャート
【図３】従来の電圧シフト回路の構成を示す図
【図４】図３のパワーセーブＯＮ／ＯＦＦの動作を示すタイミングチャート
【符号の説明】
【００１０】
１  ＣＭＯＳロジック回路
２  電圧シフト回路
３  スイッチ
４、５  トランジスタ
１０１  Ｄａｔａ入力端子
１０２  Ｃｌｏｃｋ入力端子
１０３  Ｓｔｒｏｂｅ信号入力端子
２０１  シフト電圧
２０２  ＯＰアンプ
２０３  ＣＭＯＳトランジスタ
２０４、２０５  抵抗
【図１】
2005191627.tif 000003
【図２】
2005191627.tif 000004
【図３】
2005191627.tif 000005
【図４】
2005191627.tif 000006
(57)【要約】【課題】近年、携帯電話への通話品質への要望は高まる一方である。一方でアンプ（レシーバアンプ、スピーカアンプ）起動時のショック音は課題であった。【解決手段】本発明では、アンプの出力と基準電圧すなわち正帰還入力をショートすることで直流電流遮断用容量を急速に充電しアンプのループゲインの安定を早め負帰還入力端子へのフィードバック電圧の安定を図る。さらにアンプの入力同士をショートすることで差動入力のアンバランスを抑え出力電圧のオーバーシュートを軽減する機能を得ることができる。【選択図】図１
2005191628.tif 000002
【特許請求の範囲】
【請求項１】
信号入力端子と、
差動アンプと、
基準電源と、
カットオフ周波数を決定する抵抗群及び容量群と、
差動アンプの出力と正帰還入力をショートするアナログスイッチと、
差動アンプの入力同士をショートするアナログスイッチと、
アンプ出力からスピーカへの直流電流遮断用容量と、を備えたショック音防止回路。
【請求項２】
前記アナログスイッチの制御方法として、時間的にアナログスイッチを制御する回路をさらに備えていることを特徴とする請求項１に記載のショック音防止回路。
【請求項３】
前記アナログスイッチとして、ＭＯＳのｇｍを利用し、スイッチを緩やかに制御することを特徴とする請求項１に記載のショック音防止回路。
【発明の詳細な説明】
【技術分野】
【０００１】
本発明は、携帯電話の受話部となるスピーカアンプ、レシーバアンプに関するものである。
【背景技術】
【０００２】
近年、携帯電話の通話品質向上、音楽再生品質向上に向け、特にスピーカアンプやレシーバアンプの立ち上げ時のショック音対策については、外付けスイッチにてスピーカ負荷をショートし、対策を図る技術が提案されている。
【０００３】
外付けスイッチの採用によりアンプ起動時のショック音の問題は回避できる。
【０００４】
しかしながら、外付け部品点数増加・外付け部品制御回路が必要という短所を有している。
【特許文献１】特開平４−１１３７０９号公報
【発明の開示】
【発明が解決しようとする課題】
【０００５】
従来の携帯電話に使用するスピーカアンプ／レシーバアンプにおいて、アンプ起動時には出力のオーバーシュートによるショック音対策のため、図３に示すように外付け部品７及びその制御回路を用いていた。
【０００６】
前記に鑑み、本発明は、外付け部品を使用することなくスピーカのショック音を防止することを目的とする。
【課題を解決するための手段】
【０００７】
この目的を達成するために本発明のショック音防止回路においては、信号入力端子１と、差動アンプ２と、基準電源３と、スピーカ４と、アナログスイッチ５及び６と、カットオフ周波数決定用抵抗Ｒａ及びＲｂと、カットオフ周波数決定用容量Ｃａ及びＣｂと、直流電流遮断用容量Ｃｃとを備えたものである。
【０００８】
この構成によりアンプ起動時の出力オーバーシュート量を軽減し、ショック音防止を図ることを可能とする。
【発明の効果】
【０００９】
本発明によれば、アンプ回路にアナログスイッチを採用することで、アンプ起動時の出力オーバーシュート量を軽減し、ショック音防止可能なショック音防止回路を実現できるものである。
【発明を実施するための最良の形態】
【００１０】
本発明の請求項１に記載の発明は、信号入力端子と、差動アンプと、基準電源と、スピーカと、アナログスイッチ群と、カットオフ周波数決定用抵抗群と、カットオフ周波数決定用容量群と、直流電流遮断用容量とを備えたことにより、アンプ起動時に出力を基準電圧にて急速充電し、また入力同士を短絡することで差動入力電圧の差異を無くし、出力のオーバーシュート量を軽減し、所望のショック音防止効果を得る作用を有する。
【００１１】
本発明の請求項２に記載の発明は、アンプ起動時のアンプ出力と正帰還入力を短絡／開放する制御と、アンプの入力同士を短絡／開放する制御をアンプの能力や外付け定数に最適となるように時間的な制御をすることを可能とする。
【００１２】
本発明の請求項３に記載の発明は、アンプ起動時のアンプ出力と正帰還入力を短絡／開放及びアンプの入力同士を短絡／開放するアナログスイッチとしてＭＯＳを用い、その制御にはＭＯＳのゲート電圧をアナログ的に調整すなわちＭＯＳのｇｍにて制御することでアナログスイッチ両端の電圧変化を緩やかにすることを可能とする。
【００１３】
以下本発明の実施の形態について、図面を参照しながら説明する。
【００１４】
図１は本発明の実施の形態におけるショック音防止回路を示すものである。図１において１は信号入力端子、２はアンプ、３は基準電源、４はスピーカ、５及び６はアナログスイッチ、Ｃａ及びＣｂはカットオフ周波数決定用容量、Ｒａ及びＲｂはカットオフ周波数決定用抵抗、Ｃｃは直流電流遮断用容量である。
【００１５】
以下、動作について説明する。
【００１６】
アンプ起動時、まず基準電源が立ち上がり次にアンプが立ち上がるが、その時にアンプの出力と基準電圧すなわち正帰還入力をショートすることで直流電流遮断用容量を急速に充電しアンプのループゲインの安定を早め負帰還入力端子へのフィードバック電圧の安定を図る。さらにアンプの入力同士をショートすることで差動入力のアンバランスを抑え出力電圧のオーバーシュートを軽減する機能を得ることができる。
【００１７】
このときの各端子の電圧波形を示したものが図２である。
【産業上の利用可能性】
【００１８】
以上説明したように、本発明は、携帯電話のレシーバ／スピーカのショック音防止に有用である。
【図面の簡単な説明】
【００１９】
【図１】本発明の実施の形態におけるショック音防止回路の回路図
【図２】本発明の実施の形態における動作説明図
【図３】従来のスピーカ／レシーバアンプの回路図
【符号の説明】
【００２０】
１  信号入力端子
２  アンプ
３  基準電源
４  スピーカ
５  アナログスイッチ
６  アナログスイッチ
７  外付けスイッチ
Ｒａ  カットオフ周波数決定用抵抗
Ｒｂ  カットオフ周波数決定用抵抗
Ｃａ  カットオフ周波数決定用容量
Ｃｂ  カットオフ周波数決定用容量
Ｃｃ  直流電流遮断用容量
【図１】
2005191628.tif 000003
【図２】
2005191628.tif 000004
【図３】
2005191628.tif 000005
(57)【要約】【課題】DELAYを持ったリセット回路において立ち上がり時に発生するチャタリングを改善する回路を提供する。【解決手段】従来のコンパレータ(101)の出力がR,Cによって構成されるDELAY回路に入力される。DELAY回路の出力は波形整形回路(102,103)の入力となる。波形整形回路(102)よりも早く切り替わる波形整形回路(103)を従来のDELAYを持ったリセット回路に追加し、その出力でDELAYのヒステリシスを切り替えることによりチャタリングを改善する。【選択図】図１
2005191629.tif 000002
【特許請求の範囲】
【請求項１】
正入力端子に基準電圧を入力し、負入力端子に入力信号を入力する第１のコンパレータ(101)の出力を第１のDELAY回路の入力に接続し、その出力を第１(102)及び第２(103)の波形整形回路の入力に接続し、上記第１の波形整形回路は第２の波形整形回路よりも遅れて切り替わることを特徴とし、第１の波形整形回路の出力をリセット回路の出力端子とし、第２の波形整形回路の出力でDELAY回路のヒステリシスを切り替える特徴を備えたリセット回路。
【発明の詳細な説明】
【技術分野】
【０００１】
本発明は半導体集積回路の特に携帯電話電源回路に関するものである。
【背景技術】
【０００２】
従来のチャタリング防止回路にはラッチとタイマーを施したものがある（特許文献１
参照）。
【０００３】
以下図２により従来のDELAYを持ったリセット回路について説明する。
【０００４】
従来、半導体集積回路において、リセット回路を構成する場合、図２の構成が用いられていた。以下、図面を参照しながら説明する。2-A,2-B,2-C,2-D,2-Eはそれぞれ各ノードの波形である。従来のリセット回路は、基準電圧2-Aと入力電圧2-Bの大小関係を比較し、コンパレータの出力2-Cが出力される。この出力がDELAY回路に入力され、R,Cによって遅れ時間が発生する。その出力が波形整形回路の入力に接続され、波形整形回路からの信号でDELAY回路のヒステリシスを切り替えられ、アナログの波形からデジタルの波形に整形され、CPUやロジックなどのリセット信号として出力する。
【特許文献１】特開平０９−２６１０１７号公報
【発明の開示】
【発明が解決しようとする課題】
【０００５】
しかしながら、 従来のDELAYを持ったリセット回路は波形整形回路からの信号でDELAY回路のヒステリシスを切り替えた時、DELAY回路の波形2-DであるR,Cの時定数で上昇している電圧が急峻にHiの電圧に変化する。このヒステリシスが切り替わる時の電圧が、波形整形回路の切り替わる電圧と同じ電圧レベルであるため、ラッシュ電流やノイズなどによりチャタリングの原因が生成され、それが増幅されてリセットの立ち上がり時にチャタリングが発生するという課題があった。
【課題を解決するための手段】
【０００６】
本発明は、正入力端子に基準電圧を入力し、負入力端子に入力信号を入力する第１のコンパレータ(101)の出力を第１のDELAY回路の入力に接続し、その出力を第１(102)及び第２(103)の波形整形回路の入力に接続し、上記第１の波形整形回路は第２の波形整形回路よりも遅れて切り替わることを特徴とし、第１の波形整形回路の出力をリセット回路の出力端子とし、第２の波形整形回路の出力でDELAY回路のヒステリシスを切り替える特徴を備えたリセット回路を提供することで上記課題を解決する。
【発明の効果】
【０００７】
本発明は、リセット回路を構成する回路であるDELAY回路のヒステリシスを切り替える電圧と波形整形回路の切り替わる電圧を違う電圧レベルにする。それは従来のリセット回路ではこの２つの切り替わる電圧が同じレベル(電源電圧の半分の電圧)であったため、ラッシュ電流や切り替えたときに生じる電流、ノイズ等によってチャタリングを起こす要因となっていた。本発明では切り替わる電圧を２つにし、DELAY回路のヒステリシスを切り替える電圧レベルを電源電圧の半分以下の電圧にし、波形整形回路の切り替わる電圧を電源電圧の半分以上の電圧にした。そうすることによりラッシュ電流やヒステリシスを切り替えたときに流れる電流のタイミングがずれることになる。それにより、チャタリングの起こす原因が重ならなくなり、出力端子で発生しているチャタリングは改善される。
【発明を実施するための最良の形態】
【０００８】
本発明のリセット回路は図１に示されるように正入力端子に基準電圧を入力し、負入力端子に入力信号を入力する第１のコンパレータ(101)の出力を第１のDELAY回路の入力に接続し、その出力を第１(102)及び第２(103)の波形整形回路の入力に接続し、上記第１の波形整形回路は第２の波形整形回路よりも遅れて切り替わることを特徴とし、第１の波形整形回路の出力をリセット回路の出力端子とし、第２の波形整形回路の出力でDELAY回路のヒステリシスを切り替える特徴を備えている。
【０００９】
1-Eは、電源の半分の電圧以下で切り替わる波形整形回路(103)の波形であり、1-Dは電源の半分の電圧以上で切り替わる波形整形回路(102)の波形である。切り替わるタイミングが異なる波形整形回路を２つ組み合わせることにより、ラッシュ電流の流れるタイミングを避けて切り替えることが可能となり、その結果として立ち上がり時に発生するチャタリングの発生を改善することが可能となった。
【産業上の利用可能性】
【００１０】
本発明は、リセット回路を構成する回路であるDELAY回路のヒステリシスを切り替える電圧と波形整形回路の切り替わる電圧を違う電圧レベルにする。それは従来のリセット回路ではこの２つの切り替わる電圧が同じレベル(電源電圧の半分の電圧)であったため、ラッシュ電流や切り替えたときに生じる電流、ノイズ等によってチャタリングを起こす要因となっていた。本発明では切り替わる電圧を２つにし、DELAY回路のヒステリシスを切り替える電圧レベルを電源電圧の半分以下の電圧にし、波形整形回路の切り替わる電圧を電源電圧の半分以上の電圧にした。そうすることによりラッシュ電流やヒステリシスを切り替えたときに流れる電流のタイミングがずれることになる。それにより、チャタリングの起こす原因が重ならなくなり、出力端子で発生しているチャタリングは改善される。
【図面の簡単な説明】
【００１１】
【図１】本発明の請求項１に記載のチャタリング防止のリセット回路を示す図
【図２】従来のリセット回路を示す図
【符号の説明】
【００１２】
101  コンパレータ
102  第１の波形整形回路
103  第２の波形整形回路
1-A  図１のREFの波形
1-B  図１のINPUTの波形
1-C  図１のコンパレータ出力の波形
1-D  図１の波形整形回路(102)の波形
1-E  図１の波形整形回路(103)の波形
1-F  図１のOUTPUTの波形
2-A  図２のREFの波形
2-B  図２のINPUTの波形
2-C  図２のコンパレータ出力の波形
2-D  図２の波形整形回路の波形
2-E  図２のOUTPUTの波形
【図１】
2005191629.tif 000003
【図２】
2005191629.tif 000004
(57)【要約】【課題】チャンネル切換時に他のチャンネルの情報をオンスクリーン表示し、さらにそのオンスクリーン表示を使って簡単なリモコン操作によるチャンネル切換を実現するＡＴＳＣ内蔵テレビ装置及びオンスクリーン表示方法を提供する。【解決手段】チャンネルの切換入力を受信するチャンネル切換入力手段と、チャンネル情報と、チャンネル情報と同一ストリーム内に存在する他のチャンネル情報を記憶するチャンネル情報記憶手段と、チャンネル情報をオンスクリーン表示するＯＳＤ表示手段と、チャンネル切換入力手段からのチャンネルの切換入力に対応するチャンネル情報及び他のチャンネル情報をチャンネル情報記憶手段から取得し、ＯＳＤ表示手段へ出力する制御手段とを具備する。【選択図】図１
2005191823.tif 000002
【特許請求の範囲】
【請求項１】
チャンネルの切換入力を受信するチャンネル切換入力手段と、チャンネル情報と、前記チャンネル情報と同一ストリーム内に存在する他のチャンネル情報を記憶するチャンネル情報記憶手段と、チャンネル情報をオンスクリーン表示するＯＳＤ表示手段と、前記チャンネル切換入力手段からのチャンネルの切換入力に対応するチャンネル情報及び他のチャンネル情報を前記チャンネル情報記憶手段から取得し、前記ＯＳＤ表示手段へ出力する制御手段とを具備することを特徴とするＡＴＳＣ内蔵テレビ装置。
【請求項２】
チャンネルの切換入力を受信するステップと、チャンネル情報と、前記チャンネル情報と同一ストリーム内に存在する他のチャンネル情報を記憶するステップと、前記チャンネルの切換入力に対応する前記チャンネル情報及び他のチャンネル情報を取得するステップと、前記取得したチャンネル情報及び他のチャンネル情報をオンスクリーン表示するステップとを具備することを特徴とするオンスクリーン表示方法。
【発明の詳細な説明】
【技術分野】
【０００１】
本発明は、オンスクリーン表示機能と簡単なリモコン操作によってチャンネル切換を実現するＡＴＳＣ内蔵テレビ装置及びオンスクリーン表示方法に関するものである。
【背景技術】
【０００２】
従来、アナログ放送対応テレビ装置では、チャンネル切換に伴うチャンネル表示等の機器の動作状態を画面上の所定位置にオンスクリーン表示していた（例えば、特許文献１参照）。
【０００３】
一方、ＡＴＳＣではアナログ放送とデジタル放送が混在しており、非常に多くのチャンネルがあるが、ユーザーのチャンネル切換方法に関しては従来のアナログ放送対応テレビ装置と変わりないものとなっていた。
【特許文献１】実開平０２−０１３３７２号公報
【発明の開示】
【発明が解決しようとする課題】
【０００４】
しかしながら上記従来のチャンネル切換方法では、非常に多くのチャンネルの中からユーザーが見たいチャンネルを探すことは困難であり、またどのチャンネルで放送が行われているかも、実際にチャンネルを切り換えてみないと解らないという状況に陥るという問題があった。
【０００５】
本発明は、上記の課題を緩和するもので、従来よりも簡便な操作によってチャンネル切換を実現したＡＴＳＣ内蔵テレビ装置及びオンスクリーン表示方法を提供することを目的とする。
【課題を解決するための手段】
【０００６】
上記の目的を達成するために、本発明のＡＴＳＣ内蔵テレビ装置は、チャンネル切換を行った際に、同一ストリーム内に含まれる複数チャンネルの情報をオンスクリーン表示し、切り換えたチャンネル以外にも同じストリーム内に違ったチャンネルが存在するという情報をユーザーに知らせることができるようにする。また、そのチャンネル情報オンスクリーン表示を使って、簡単なリモコン操作により視覚的なチャンネル切換を実現できるようにする。
【発明の効果】
【０００７】
以上のように本発明によれば、チャンネル切換時に他のチャンネルの情報をオンスクリーン表示し、さらにそのオンスクリーン表示を使って簡単なリモコン操作によるチャンネル切換を実現することができ、ユーザーにとって従来よりも格段に使い易いＡＴＳＣ内蔵テレビ装置を提供することができる。
【発明を実施するための最良の形態】
【０００８】
（実施の形態１）
図１は、オンスクリーン表示機能を使って同一ストリーム内にある他のチャンネル情報を表示するＡＴＳＣ内蔵テレビ装置の構成を示すブロック図である。ＡＴＳＣ内蔵テレビ装置は、チャンネル切換入力部１０１と、制御部１０２と、ＯＳＤ表示部１０３と、チャンネル情報記憶部１０４と、選局部１０５及びディスプレイ部１０６から構成される。
【０００９】
以上のように構成されたＡＴＳＣ内蔵テレビ装置の動作について説明する。チャンネル切換入力部１０１にユーザーからのチャンネル切換入力があると、制御部１０２からの指令により、選局部１０５で切り換えるべきチャンネルが選局されてディスプレイ部１０６に出画すると同時に、制御部１０２からの指令により、切り換えるべきチャンネル情報と、そのチャンネルが含まれるストリーム内に存在する他のチャンネルの情報とがチャンネル情報記憶部１０４から制御部１０２に伝達され、ＯＳＤ表示部１０３を介してディスプレイ部１０６によって出画する。
【００１０】
図２は、ＡＴＳＣ内蔵テレビ装置のオンスクリーン表示例を示す図である。図２において、符号２０１は２チャンネルにチャンネル切換した時のＯＳＤ表示、２０２はカーソル下キーのリモコン入力、２０３はカーソル下キー入力後のＯＳＤ表示、２０４は決定キーのリモコン入力、２０５は決定キー入力後のＯＳＤ表示である。
【００１１】
ここで図２を用いて、ＡＴＳＣ内蔵テレビ装置の動作について詳述する。ここで、２チャンネルには、同一ストリーム内に２−１チャンネルと２−２チャンネルが存在するとする。
【００１２】
ユーザーが、２チャンネルへのチャンネル切換入力を行った場合、チャンネル切換した２チャンネルの他に、２−１チャンネルと２−２チャンネルの２つチャンネルが存在することをＯＳＤ表示２０１する。
【００１３】
次に、ユーザーが２−１チャンネルに切り換えたい場合、カーソル下キーのリモコン入力２０２を行うことでＯＳＤ表示２０３のようにカーソル位置が切り換わり、さらに決定キーのリモコン入力２０４を行うことで実際の選局動作が行われ、２−１チャンネルにチャンネル切換したＯＳＤ表示２０５が表示される。
【産業上の利用可能性】
【００１４】
本発明のＡＴＳＣ内蔵テレビ装置及びその方法は、チャンネル切換時に他のチャンネルの情報をオンスクリーン表示し、さらにそのオンスクリーン表示を使って簡単なリモコン操作によるチャンネル切換を実現することができるため、同一ストリームで複数のチャンネルを受信するテレビ装置に有用である。
【図面の簡単な説明】
【００１５】
【図１】本発明の実施の形態１におけるＡＴＳＣ内蔵テレビ装置の構成を示すブロック図
【図２】同実施の形態におけるＡＴＳＣ内蔵テレビ装置のオンスクリーン表示例を示す図
【符号の説明】
【００１６】
１０１    チャンネル切換入力部
１０２    制御部
１０３    ＯＳＤ表示部
１０４    チャンネル情報記憶部
１０５    選局部
１０６    ディスプレイ部
【図１】
2005191823.tif 000003
【図２】
2005191823.tif 000004
(57)【要約】【課題】複数あるメディアサーバの状態が変化してもそのことをユーザが気にすることなくチャンネルや番組を問題なく選択できるようにしクライアントシステムがサーバを自動選択するようにする。【解決手段】クライアントシステムはネットワーク上にあるメディアサーバのもつチャンネルと番組情報を常に監視し、収集した情報をマージし、チャンネルと番組で情報をソートしてユーザに表示する。同時にクライアントシステムはユーザが選択したチャンネルと番組のサービスを持つサーバを自動選択する機能を持たせておき、複数のメディアサーバが同じサービスを提供していた場合にも対応させる。【選択図】        図１
2005191802.tif 000002
【特許請求の範囲】
【請求項１】
メディアサーバが複数台存在するネットワーク環境の中でユーザがサーバの台数及びそれぞれの名称とそれらが持つＴＶチャンネルとその番組情報を意識することなく操作出来るようにするためのシステム。
【発明の詳細な説明】
【技術分野】
【０００１】
本発明は、ＴＶ受信機能を持った複数台のメディアサーバが存在するネットワーク環境でのＴＶチャンネルと番組情報の収集と選択に関するものである。
【背景技術】
【０００２】
ＴＶ受信機能を持ったメディアサーバが複数存在するネットワーク環境において、ユーザにはそれぞれのメディアサーバごとのチャンネルと番組の情報が提供され、この中から視聴したい番組を選択するというシステムになっていた。
【０００３】
しかし、サーバの台数や機能が変更された場合、ユーザはその変更を気にしておかなければならならず、操作が煩雑になっていた。
【０００４】
さらに長期的な録画予約などはサーバの台数や機能の変更に対応できない状態であった。
【０００５】
この改善策として、クライアントシステムが各サーバのもつチャンネル情報と番組情報をマージし、ユーザがサーバ情報を気にせずに選択できるように改善した。さらにクライアントシステムはユーザが望むチャンネルと番組のサービスを行ってくれるメディアサーバを自動選択するため、サーバの台数や機能が変更されても柔軟に対応できるようになり長期予約なども可能となった。
【発明の開示】
【発明が解決しようとする課題】
【０００６】
解決しようとする問題点は、複数あるメディアサーバの状態が変化してもそのことをユーザが気にすることなくチャンネルや番組を問題なく選択できるようにしクライアントシステムがサーバを自動選択するようにすることである。
【課題を解決するための手段】
【０００７】
クライアントシステムが、ユーザに対してそれぞれのメディアサーバの存在を気にさせなければよい。クライアントシステムはネットワーク上にあるメディアサーバのもつチャンネルと番組情報を常に監視し、収集した情報をマージし、チャンネルと番組で情報をソートしてユーザに表示する。これによりユーザは目的のチャンネルと番組を選択するだけで視聴が可能となる。クライアントシステムはユーザが選択したチャンネルと番組のサービスを持つサーバを自動選択機能するを持たせておき、複数のメディアサーバが同じサービスを提供していた場合にも対応させる。
【発明の効果】
【０００８】
以上説明したように本発明のクライアントシステムは、複数のメディアサーバのチャンネル及び番組情報をマージしチャンネルと番組でソートした情報をユーザに表示する。ユーザはチャンネルと番組で選択し、クライアントシステムがメディアサーバを自動選択することにより、ユーザはサーバ数の増減や各サーバの機能の変更を気にすることなく目的のチャンネルと番組を指定することが可能になりユーザの負担を軽減させることが可能となった。また、サーバ数の増減や機能の変化を気にする必要がなくなったことで、長期的録画予約がなされている間にサーバの変更が起こっても対応できるようになった。
【発明を実施するための最良の形態】
【０００９】
クライアントシステムはコンピュータプログラムとして実現した。
【実施例】
【００１０】
図１は、本発明のシステムの構成例の概要図である。クライアントシステム(Client System)が一つとメディアサーバ(Media Server 1、2、3）が３つ存在するネットワークを表している。
【００１１】
クライアントシステム(Client System)は常時１の様にすべてのメディアサーバ(Media Server 1、2、3)からチャンネル情報(Channel)と番組情報(Programs)を収集する。
【００１２】
クライアントシステム(Client System)は収集した情報をチャンネル(Channel)・番組情報(Programs)で整理しユーザに情報を提供する。
【００１３】
ユーザが３のチャンネル(Channel 2)の番組(Programs)を選択すると、クライアントシステムは、そのチャンネルと番組を提供しているサーバを自動選択し、４のようにメディアサーバ(Media Server3)を選択しサービスを開始させる。
【００１４】
このように自動選択出来るようになっていれば、仮にMedia Server3がサービスを停止していてる状態であれば、クライアントシステムは自動的に別のサーバを選択するため、クライアントは同じようにサービスを受けることが可能である。
【図面の簡単な説明】
【００１５】
【図１】クライアントシステムとメディアサーバの構成例の概要図（実施例）
【符号の説明】
【００１６】
１    クライアントシステムがメディアサーバからチャンネル(Channel)及び番組情報(Programs)を収集
２    収集した情報をソートしてユーザに表示
３    ユーザが選択したチャンネル(Channel 2)と番組(Programs)
４    メディアサーバ(Media Server3)を自動選択しサービスの開始を依頼
【図１】
2005191802.tif 000003
(57)【要約】【課題】  導電パターンの腐食を確実に防止することができる回路基板を提供する。【解決手段】  導電パターン３およびその導電パターン３が存する板面の全域にレジストインキ４を塗布し、そのレジストインキ４上における導電パターン３のエッジ部３ａと対応する部位に文字印刷用インキ５を塗布する。【選択図】      図１
2005191298.tif 000002
【特許請求の範囲】
【請求項１】
導電パターンが形成された回路基板において、
前記導電パターンおよびその導電パターンが存する板面の全域にレジストインキを塗布し、そのレジストインキ上における前記導電パターンのエッジ部と対応する部位に文字印刷用インキを塗布する構成としたことを特徴とする回路基板。
【発明の詳細な説明】
【技術分野】
【０００１】
この発明は、導電パターンが形成された回路基板に関する。
【背景技術】
【０００２】
電子機器や電気製品に搭載される回路基板には、電気部品の端子を相互に導通させるための導電パターンが形成されている。その一例を図３に示している。図３において、１は回路基板で、電気部品が搭載されるのと反対側の板面（下面）に導電パターン３が形成されている。これら導電パターン３に、電気部品の端子２ａがハンダ付け接続される。
【０００３】
このような回路基板では、導電パターンを塩害による腐食や錆等から防ぐ手段として、導電パターンおよその導電パターンが存する板面の全域に防湿性コーティング剤を塗布する方法がある。ウレタン等のポッティングにより、導電パターンを樹脂内に埋め込む方法もある。  
なお、基板上に導電パターンを形成する手法として、印刷インクによるレジストマスクの被着がある（例えば、特許文献１）
【特許文献１】特開２０００−２３２２６２号公報
【発明の開示】
【発明が解決しようとする課題】
【０００４】
上記のように、防湿性コーティング剤を塗布したり、ウレタン等をポッティングするものでは、またレジストマスクの被着によって導電パターンを形成するものでは、たとえ導電パターンが防湿性コーティング剤等で覆われていても、その皮膜部分が薄くなるため、導電パターンのエッジ部から腐食が進行していく傾向がある。
【０００５】
この発明は、上記の事情を考慮したもので、導電パターンの腐食を確実に防止することができる回路基板を提供することを目的としている。
【課題を解決するための手段】
【０００６】
請求項１に係る発明の回路基板は、導電パターンおよびその導電パターンが存する板面の全域にレジストインキを塗布し、そのレジストインキ上における上記導電パターンのエッジ部と対応する部位に文字印刷用インキを塗布する構成とした。
【発明の効果】
【０００７】
この発明によれば、レジストインキ上のしかも導電パターンのエッジ部と対応する部位が文字印刷用インキで被覆されることにより、導電パターンのエッジ部から腐食の進行を解消することができて、導電パターンの腐食を確実に防止することができる。
【発明を実施するための最良の形態】
【０００８】
以下、この発明の一実施形態について図１および図２を参照しながら説明する。  
回路基板１の上面に各種電気部品２が搭載され、その電気部品２の端子２ａが同回路基板１の挿通孔を通して下面側に導出されている。回路基板１の下面には導電パターン（例えば銅箔パターン）３が形成され、その導電パターン３に上記端子２ａがハンダ付け接続されている。
【０００９】
そして、回路基板１の下面において、導電パターン３およびその導電パターン３が存する板面の全域に、レジストインキ４が塗布されている。このレジストインキ４の塗布は例えば３回塗りである。さらに、レジストインキ４上において、導電パターン３のエッジ部３ａと対応する部位に、白色の文字印刷用インキ５が塗布されている。すなわち、図２に斜線で示すように、導電パターン３のエッジ部３ａに沿って帯状の文字印刷用インキ５が塗布される。文字印刷用インキ５は、導電パターン３に文字パターンや画像パターンを印刷する場合に使用するのと同じインキであり、その文字パターンや画像パターンの印刷と同時に塗布することができる。
【００１０】
このような構成によれば、レジストインキ４上のしかも導電パターン３のエッジ部３ａと対応する部位が文字印刷用インキ５で完全に被覆されるので、導電パターン３のエッジ部３ａからの腐食の進行を解消することができて、導電パターン３の腐食を確実に防止することができる。腐食や錆に強いので、屋外に設置される機器に搭載される回路基板として有効である。
【００１１】
とくに、文字印刷用インキ５が存するのは導電パターン３のエッジ部３ａと対応する部位のみなので、導電パターン３の位置を容易に確認することができる。
【００１２】
仮に、文字印刷用インキ５を導電パターン３およびその導電パターン３が存する板面の全域に塗布してしまうと、文字印刷用インキ５が乾くときに回路基板１に反りが生じてしまう不都合を生じるが、文字印刷用インキ５が存するのは導電パターン３のエッジ部３ａと対応する部位のみなので、そのような反りが生じる不都合を回避することができる。
【００１３】
文字印刷用インキ５は、導電パターン３やその周辺部に対する文字パターンや画像パターンの印刷と同時に塗布できるので、作業性が良好である。
【００１４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。
【図面の簡単な説明】
【００１５】
【図１】この発明の一実施形態の構成を示す図。
【図２】同実施形態における回路基板の下面側の構成を示す図。
【図３】従来の回路基板の下面側の構成を示す図。
【符号の説明】
【００１６】
１…回路基板、２…電気部品、２ａ…端子、３…導電パターン、３ａ…エッジ部、４…レジストインキ、５…文字印刷用インキ
【図１】
2005191298.tif 000003
【図２】
2005191298.tif 000004
【図３】
2005191298.tif 000005
(57)【要約】【課題】  受電側回路の簡素化、小型化を可能とした非接触型電力伝送装置提供する【解決手段】  電磁誘導作用によって電力を伝送する非接触型電力伝送装置において、送電側回路１は、共振型自励発振回路により構成し、自励発振により発生するパルス電圧のオン時間を入力電圧の変動により変化させ励磁電流を一定に保つ機能を有し、受電側回路２は、送電側回路により誘起されたパルス電圧の特にトランジスタのオン期間で整流し出力を得る機能を有する【選択図】        図２
2005191505.tif 000002
【特許請求の範囲】
【請求項１】
送電側回路と受電側回路を備え、電磁誘導作用によって前記送電側回路から受電側回路に電力を伝送する非接触型電力伝送装置において、
前記送電側回路は、共振型自励発振回路により構成され、その自励発振により発生するパルス電圧のオン時間を入力電圧の変動により変化させて励磁電流を一定に保つ機能を有し、
前記受電側回路は、前記送電側回路により誘起されたパルス電圧を、トランジスタのオン期間で整流して出力を得る機能を有することを特徴とする非接触型電力伝送装置。
【発明の詳細な説明】
【技術分野】
【０００１】
本発明は、携帯電話機や電気カミソリ等の充電装置、照明器具や通信機等への給電装置に使用し送電部と受電部が分離する機能を持ち、かつ、送電部と受電部間で金属接点を介さず電磁誘導作用により電力を伝送する非接触型電力伝送装置に関する。
【背景分野】
【０００２】
例えば、携帯用機器の電源等で用いられる充電型の２次電池等においては、充電時定電圧または定電流で充電しなければ充電の繰り返し劣化が発生し、十分な性能を引き出すことができなくなるという問題があるため、受電側回路には、誘起された電圧を整流平滑後、さらに定電流化または定電圧化する定電流回路または定電圧回路を付属している。
【０００３】
この種の非接触型電力伝送装置に関しては，例えば下記のような特許文献を挙げることができる。
【特許文献１】特開２０００−１９７２７５号公報
【発明の開示】
【発明が解決しようとする課題】
【０００４】
上述したように従来例においては、受電側回路には、誘起された電圧を整流平滑後、さらに定電流化または定電圧化する定電流回路または定電圧回路を付属しているため、受電側回路が複雑になり、コストが高くなるという問題があった。
【０００５】
本発明の目的は、このような従来技術の欠点を解消し、受電側回路の簡素化、小型化、コストの低減が図れる非接触型電力伝送装置を提供することにある。
【課題を解決するための手段】
【０００６】
上記目的を達成するために、本発明は、送電側回路と受電側回路を備え、電磁誘導作用によって前記送電側回路から受電側回路に電力を伝送する非接触型電力伝送装置を対象とするものである。
【０００７】
そして前記送電側回路は、共振型自励発振回路により構成され、その自励発振により発生するパルス電圧のオン時間を入力電圧の変動により変化させて励磁電流を一定に保つ機能を有し、
前記受電側回路は、前記送電側回路により誘起されたパルス電圧を、トランジスタのオン期間で整流して出力を得る機能を有することを特徴とするものである。
【発明の効果】
【０００８】
本発明は前述のような構成になっており、送電側入力電圧の変動があっても、受電側の出力の安定性がよく、安価で信頼性の高い非接触型電力伝送装置を提供することができる。
【発明を実施するための最良の形態】
【０００９】
以下、図面を参照して本発明の実施形態を詳細に説明する。図１は本発明の第１の実施形態に係る非接触型電力伝送装置のブロツク図、図２はその非接触型電力伝送装置の電気回路図である。
【００１０】
この非接触型電力伝送装置は、図２に示すように送電側回路１と受電側回路２から構成されている。送電側回路１は、コ字型コア３の中央部に磁界発生のための１次コイル４と発振制御のための３次コイル(以下ベース巻線と呼ぶ)５が巻かれており、受電側回路２は、同様にコ字型コア６の中央部に２次コイル７が巻かれている。
【００１１】
また送電側回路１は、前記ベース巻線５によりベース電流が供給されるスイッチング素子であるトランジスタ８を有しており、ベース巻線５とトランジスタ８の間に、スイッチング周期を決定する制御回路１２と、ドライブ回路１３を有している。受電側回路２は、整流平滑回路１４を通して負荷１０に接続されている。図２において、ツェナーダイオード９は制御回路１２を構成する。符号１１は入力を示す。
【００１２】
以下、この非接触型電力伝送装置の動作を説明する。送電側回路１の自励式フライバック方式により発生した励磁電流によりコア３、６に磁束を発生させ受電側の２次コイル７に起電力を発生させる。なお、送電側回路１で発生するパルス電圧は、ベース巻線５で励起する電圧を観測してツェナーダイオード９によりトランジスタ８のベース電流を制御することにより、オン時間を制御し、一定の電圧以上発生しないよう制限している。
【００１３】
受電側回路２に発生する起電力に基づいて２次コイル７の極性を調整することによりマイナス側方向のパルス電圧を発生させ、そのうちプラス成分のみ整流平滑し、出力とする。この方式はパルス側成分を整流し出力を得るのに比べ、負荷変動に対し安定した出力特性を得るためである。
【００１４】
図４は前記第１の実施形態に係る非接触型電力伝送装置の入出力特性を示す図、図５はその非接触型電力伝送装置における図２に示す各測定点Ａ〜Ｄでの入出力電圧波形を示す図である。
【００１５】
図３は本発明の第２の実施形態に係る非接触型電力伝送装置における送電側回路の詳細な構成図である。この送電側回路１は、低入力電圧にて出力向上を図るためのものである。
【図面の簡単な説明】
【００１６】
【図１】本発明の第１の実施形態に係る非接触型電力伝送装置のブロツク図である。
【図２】その非接触型電力伝送装置の詳細な電気回路図である。
【図３】本発明の第２の実施形態に係る非接触型電力伝送装置における送電側回路の詳細な電気回路図である。
【図４】本発明の第１の実施形態に係る非接触型電力伝送装置の入出力特性を示す図である。
【図５】その非接触型電力伝送装置の各測定点での入出力電圧波形を示す図である。
【符号の説明】
【００１７】
１  送電側回路
２  受電側回路
３  送電側コア
４  １次コイル
５  ベース巻線
６  受電側コア
７  ２次コイル
８  トランジスタ
９  ツェナーダイオード
１０  負荷
１１  入力
１２  制御回路
１３  ドライブ回路
１４  整流平滑回路
【図１】
2005191505.tif 000003
【図２】
2005191505.tif 000004
【図３】
2005191505.tif 000005
【図４】
2005191505.tif 000006
【図５】
2005191505.tif 000007